(57)【特許請求の範囲】
【請求項１】
表裏２枚の胴部フィルムの両サイドにＶ字状に折り込んだ横ガゼットを接着し、開口部の内側に雌雄咬合型チャックを設けた合成樹脂製チャック付の袋体において、前記横ガゼットの上端縁の外側に、前記上端縁を底辺とし、この底辺と直角に交わり前記横ガゼットの上端縁の外側より前記袋体の開口部側に延びる横ガゼット外側延長線と、前記底辺とを結んだ一定角度の傾斜を有する三角形凸状部を設け、この三角形凸状部を胴部フィルムに接着してなり、前記チャックと前記三角形凸状部を有する横ガゼットの上端縁間は、表裏の胴部フィルム若しくは表裏何れか一方の胴部フィルムとシールテープとが、横ガゼットを挟まないで直接接着していることを特徴とする合成樹脂製チャック付の袋体。
【発明の詳細な説明】
【０００１】
【発明の属する技術分野】
本発明は、開口部に雌雄咬合型のチャックを備え、かつ両サイドにＶ字状に折り込んだ横ガゼットが接着された合成樹脂製チャック付の袋体に関するものである。
【０００２】
【従来の技術】
図４で示すように、表裏２枚の胴部フィルムによって形成された袋体１の開口部２に沿ってチャック３が設けられ、フィルムをＶ字状に折り込んだ横ガゼット４を、前記折り込み稜線４ｂが袋体１の両サイド５の線と平行に袋体１の両サイド５に接着されている合成樹脂製チャック付の袋体は、例えば特開平５−９７１５１号で公知である。また、前記横ガゼット４の上端部をシールテープ６によって表裏２枚の胴部フィルムの何れか一方の内側面に寄せて接着した合成樹脂製チャック付の袋体も特開平８−３４４５０号で公知である。
【０００３】
【発明が解決しようとする課題】
上記公知の横ガゼットを有する合成樹脂製チャック付の袋体の製造に当たっては、収納物に応じて好ましいフィルム基材が選択使用されるが、その基材の構成や厚味、構成材料自体の層間接着強度等の要素によっては、袋体１に内容物を充填し脇襠部である横ガゼット４を図５で示すように膨満展開したときの過剰な外力、過剰な充填、過激な輸送過程の扱い、又は落下等の不測な情況下では横ガゼット４と胴部フィルムの接着点に当たるＡ−Ｂ間の横ガゼット４の上端縁４ａに沿って破断を生じる場合がある。これはナイロンを基材としたものについては基材の強度上で問題はないが、二軸延伸ポリエステルフィルムを基材としたものは前記破断が生じる可能性がある。
【０００４】
前記破断の要因は、内容物を充填したとき必然的に横ガゼット４が図５で示すように展開され、横ガゼット４の上部空間は横ガゼット４と胴部フィルムの接着点に当たるＡ，Ｂ点とサイド５のＣ１，Ｃ２点に支えられた三角錐形状となる。しかも、なおも展開しようとする外力が必要以上に作用するとＡ点に応力が集中し、Ａ点を起点にして横ガゼット４の上端縁４ａに沿ってＢ点方向へ破断伝播現象を生じるからである。
【０００５】
本発明の目的は、横ガゼットを備えた合成樹脂製チャック付の袋体において、横ガゼットの上端縁に沿った破断を防止したことである。
【０００６】
【課題を解決するための手段】
上記目的を達成するための本発明の構成は、表裏２枚の胴部フィルムの両サイドにＶ字状に折り込んだ横ガゼットを接着し、開口部の内側に雌雄咬合型チャックを設けた合成樹脂製チャック付の袋体において、前記横ガゼットの上端縁の外側に、前記上端縁を底辺とし、この底辺と直角に交わり前記横ガゼットの上端縁の外側より前記袋体の開口部側に延びる横ガゼット外側延長線と、前記底辺とを結んだ一定角度の傾斜を有する三角形凸状部を設け、この三角形凸状部を胴部フィルムに接着してなり、前記チャックと前記三角形凸状部を有する横ガゼットの上端縁間は、表裏の胴部フィルム若しくは表裏何れか一方の胴部フィルムとシールテープとが、横ガゼットを挟まないで直接接着していることを特徴とするものである。
【０００７】
【発明の実施の形態】
以下本発明の実施例を図面に基づいて説明する。図１において、１は表裏２枚の胴部フィルムによって形成される袋体である。３は前記袋体１の開口部２に沿って設けられているチャックであり、袋体１の両側にはフィルムをＶ字状に折り込んだ横ガゼット４を、前記折り込み稜線４ｂが袋体１の両サイド５の線と平行に袋体１の両サイド５に接着されている。また、前記横ガゼット４の上端部をシールテープ６によって表裏２枚胴部フィルムの何れか一方の内側面に寄せて接着している。
【０００８】
本発明は上記のような合成樹脂製チャック付の袋体において、前記横ガゼット４の上端縁４ａの外側（両サイド５側）に、前記上端縁４ａを底辺とし、この底辺と直角に交わり前記横ガゼット４の上端縁４ａの外側より前記袋体１の開口部２側に延びる横ガゼット外側延長線４ｃと、前記底辺（上端縁４ａ）とを結んだ一定角度の傾斜を有する三角形凸状部７を設け、この三角形凸状部７を胴部フィルムに接着した構成である。
【０００９】
本発明は上記の通りの構成であるから、袋体１内に内容物を充填したとき必然的に横ガゼット４が図３で示すように膨満展開され、横ガゼット４の上部空間は三角形凸状部７の傾斜線と横ガゼット外側延長線４ｃとが交わるＤ点、傾斜線と横ガゼット４の上端縁４ａ（底辺）とが交わるＥ点、上端縁４ａの内側端のＢ点及びサイド５のＣ１，Ｃ２点によって支えられる。尚、上記三角形凸状部７は、Ｖ字状に折り込んだ横ガゼット４のＶ字の両方に左右対称に設けられ、膨満展開した際に図３で示すような上部空間を形成する。
【００１０】
そして、図２で示すように、膨満展開する作用のための過剰な外力Ｆが従来構造のＡ点に相当する部位に加わったとき、その応力は三角形凸状部７のＤ−Ｅ点間の傾斜線上に向かって分散する。この応力分散作用により横ガゼット４の上端縁４ａに沿ってＢ点方向に破断する応力集中を緩和するのである。
【００１１】
従って、横ガゼット４が膨満展開したときの過剰な外力、過剰な充填、過激な輸送過程の扱い、又は落下等で横ガゼット４の上端縁４ａに沿ってＢ点方向への破断伝播現象を解消し見栄えの良い形態を保持するものである。
【００１２】
尚、上記実施形態は、横ガゼット４の上端部をシールテープ６によって表裏２枚の胴部フィルムの何れか一方の内側面に寄せて接着した袋体に本発明を適用した例であるが、シールテープ６を用いていない袋体、あるいは横ガゼット４の上端部をチャック付きシールテープにより表裏２枚の胴部フィルムの何れか一方の内側面に寄せて接着した袋体にも本発明は適用される。
【００１３】
【発明の効果】
以上のように本発明によると、横ガゼットの上端縁の外側に、前記上端縁を底辺とした一定角度の傾斜を有する三角形凸状部を設け、この三角形凸状部を胴部フィルムに接着した構成であるから、横ガゼットが膨満展開する作用のための過剰な外力を三角形凸状部によって応力分散して横ガゼットの上端縁に沿って破断する応力集中を緩和し、横ガゼットの上端縁に沿う破断伝播が防止され、見栄えの良い品質良好な両サイドに横ガゼットを備えた合成樹脂製チャック付の袋体を提供することができる。
【図面の簡単な説明】
【図１】本発明袋体の第１実施例を示す要部の正面図
【図２】本発明袋体の横ガゼットが膨満展開して外力が作用したときの説明図
【図３】本発明袋体の横ガゼットが膨満展開したときの横ガゼットの上部空間の支点を示す斜視図
【図４】従来の袋体の一例を示す要部の正面図
【図５】従来の袋体の横ガゼットが膨満展開したときの横ガゼットの上部空間の支点を示す斜視図
【符号の説明】
１      袋体
２      開口部
３      チャック
４      横ガゼット
４ａ    横ガゼットの上端縁
４ｂ    横ガゼットの稜線
４ｃ    横ガゼット外側延長線
５      サイド
６      シールテープ
７      三角形凸状部
【図１】
0003727479.tif 000002
【図２】
0003727479.tif 000003
【図３】
0003727479.tif 000004
【図４】
0003727479.tif 000005
【図５】
0003727479.tif 000006